(57)【要約】【課題】ラック本体内に設置しているサーバを操作するコンソール用ノート型ＰＣを格納可能なラックドアを提供することを目的とする。【解決手段】サーバをメンテナンスするコンソール用ノート型ＰＣ１０を収納できるスペース１８と、スペース１８の前面を覆う前扉３とを有し、前扉３が閉じた状態でコンソール用ノート型ＰＣ１０をスペース１８に収納でき、前扉３が開いた状態でコンソール用ノート型ＰＣ１０の操作が可能になることで上記課題を解決する。【選択図】図１
2009169816.tif 000002
【特許請求の範囲】
【請求項１】
サーバを格納するラック本体に設置されるラックドアにおいて、
前記サーバをメンテナンスするコンソール用ノート型ＰＣを収納できるスペースと、当該スペースの前面を覆う前扉とを有し、
前記前扉が閉じた状態でコンソール用ノート型ＰＣを前記スペースに収納でき、前記前扉が開いた状態で前記コンソール用ノート型ＰＣの操作が可能になることを特徴とするラックドア。
【請求項２】
請求項１に記載のラックドアにおいて、
前記前扉は水平方向が回動軸となる支点によりラックドアに対して回動可能に連結され、かつ、前記前扉は前記支点の上側に配設され、前記ラックドアと前記前扉との間には支え金具を有し、
前記前扉を開く場合、当該前扉は前記支点を中心に手前側へ倒れるように開き、前扉が略水平になる位置になると前記支え金具により止まり、当該略水平になる位置で止まった前扉上で前記コンソール用ノート型ＰＣを操作可能となることを特徴とするラックドア。
【請求項３】
請求項２に記載のラックドアにおいて、
前記前扉には固定手段を設け、当該固定手段により前記コンソール用ノート型ＰＣを前記前扉側に固定した状態で前記前扉を閉じて前記コンソール用ノート型ＰＣを収納することを特徴とするラックドア。
【請求項４】
請求項１から請求項３のいずれか一項に記載のラックドアにおいて、
前記ラックドアには第１の鍵を有し、前記前扉には第２の鍵を有し、これらの鍵は異なることを特徴とするラックドア。
【発明の詳細な説明】
【技術分野】
【０００１】
本発明は、ラックドアに関し、特に、ラック本体内に設置しているサーバを操作するコンソール用ノート型ＰＣを格納可能なラックドアに関する。
【背景技術】
【０００２】
従来は、図１０に示されるように、ラック本体内に設置しているサーバをコンソール用ノート型ＰＣで操作する場合においては、コンソール用ノート型ＰＣの搭載エリアをラック内に設けていた。
【０００３】
一方、特許文献１には、ラック内に収納したコンソール部をスライドさせる方式の発明が記載されている。
【特許文献１】特開２００６−１８５４１９号公報
【発明の開示】
【発明が解決しようとする課題】
【０００４】
しかし、ラック本体内にコンソール用の棚を設け場合の設置スペースは、ラック本体内において４０ユニット中、５〜６ユニット分程度必要であった。さらに、特許文献１に記載の発明でも、ラック本体内の設置スペースは、４０ユニット中、２ユニット分程度は必要となる。また、操作時にはラックドアを開いた状態にする必要があった。
【０００５】
上記課題に鑑みて、本発明は、ラック本体内に設置しているサーバを操作するコンソール用ノート型ＰＣを格納可能なラックドアを提供することを目的とする。
【課題を解決するための手段】
【０００６】
上記目的を達成するため、本発明のラックドアは、サーバを格納するラック本体に設置されるラックドアにおいて、前記サーバをメンテナンスするコンソール用ノート型ＰＣを収納できるスペースと、当該スペースの前面を覆う前扉とを有し、前記前扉が閉じた状態でコンソール用ノート型ＰＣを前記スペースに収納でき、前記前扉が開いた状態で前記コンソール用ノート型ＰＣの操作が可能になることを特徴とする。
【０００７】
さらに本発明のラックドアは、前記前扉は水平方向が回動軸となる支点によりラックドアに対して回動可能に連結され、かつ、前記前扉は前記支点の上側に配設され、前記ラックドアと前記前扉との間には支え金具を有し、前記前扉を開く場合、当該前扉は前記支点を中心に手前側へ倒れるように開き、前扉が略水平になる位置になると前記支え金具により止まり、当該略水平になる位置で止まった前扉上で前記コンソール用ノート型ＰＣを操作可能となることを特徴とする。さらに本発明のラックドアは、前記前扉には固定手段を設け、当該固定手段により前記コンソール用ノート型ＰＣを前記前扉側に固定した状態で前記前扉を閉じて前記コンソール用ノート型ＰＣを収納することを特徴とする。さらに本発明のラックドアは、前記ラックドアには第１の鍵を有し、前記前扉には第２の鍵を有し、これらの鍵は異なることを特徴とする。
【発明の効果】
【０００８】
本発明によれば、ラックドアにおいて、コンソール用ノート型ＰＣを格納することができる。これにより、ラック本体の収納スペースができ、更に、ラックドアを開けないでメンテナンスが可能となる。
【発明を実施するための最良の形態】
【０００９】
本発明を実施するための最良の形態を説明する。
【００１０】
図１は、本発明のラックドアにおいて前扉３が開いた状態の一実施形態を示す斜視図である。図２は、本発明のラックドアにおいて前扉３が閉じた状態の一実施形態を示す斜視図である。図３は、本発明のラックドアにおいて前扉３が閉じた状態の一実施形態を示す要部拡大側面図である。図４は、本発明のラックドアにおいて前扉３が閉じた状態の一実施形態を示す要部拡大正面図である。図５は、本発明のラックドアにおいて前扉３が開いた状態の一実施形態を示す要部拡大側面図である。
【００１１】
ラック１は、ラック本体８とラック本体８の一側面を覆うラックドア２によって構成されている。ラック本体８には、サーバが搭載されており、このサーバをコンソール用ノート型ＰＣ１０にて操作しメンテナンスすることができる。ラックドア２の取っ手２０を引くと、取っ手２０と左右反対側に設けられた垂直方向を回動軸とする支点を中心にラックドア２が手前側に開く構成となっている。ラックドア２には、収納部４が備えられており、当該収納部４にコンソール用ノート型ＰＣ１０を収納できる構成となっている。ケーブル９は、コンソール用ノート型ＰＣ１０の電源ケーブルや、ラック本体８のサーバとの通信するためのＬＡＮケーブル等である。
【００１２】
収納部４は、ラックドア２内に設けられるスペース１８と、スペース１８の前面を覆いラックドア２の表側に設けられた前扉３とによって形成される。そして、前扉３を閉めると、コンソール用ノート型ＰＣ１０が、スペース１８内に収納でき、前扉３を開いた状態では、コンソール用ノート型ＰＣ１０を操作できるようになる。
【００１３】
スペース１８は、コンソール用ノート型ＰＣ１０を収納できる大きさとなっている。図３に示されるように、スペース１８の奥行きは、コンソール用ノート型ＰＣ１０を閉じた状態で収納できる奥行きであればよい。例えば、奥行き寸法Ａは、５０ｍｍ程度である。なお、従来は、強度的な観点から、ラックドア２の厚さは３０ｍｍ程度必要であったので、本発明は、ラックドア２の厚さを極端に大きくする必要がないことが言える。
【００１４】
前扉３は、ラックドア２の表面付近に、ラックドア２にそって水平方向（ラックドア２の幅方向）が回動軸となる支点５によりラックドア２と回動可能に連結される。そして、前扉３は、支点５の上側に設けられている。前扉３の全体の大きさは、コンソール用ノート型ＰＣ１０より大きい大きさとなっている。また、前扉３とラックドア２との間には支え金具６を有する。さらに、前扉３には、つまみ部７を有している。前扉３が設置される高さは、前扉３を開いて、作業者がコンソール用ノート型ＰＣ１０を作業するのに適した高さである。例えば、立って作業をする場合は、１ｍ程度である。
【００１５】
前扉３が閉じた状態では、図２や３のように、ラックドア２の表面は、前扉３の出っ張りはほとんどなく前扉３の板厚程度である。作業者が、つまみ部７をもち、前扉３を手前に引くと、前扉３は、支点５を中心に手前側へ倒れるように開く。そして、前扉３が略水平になる位置になると、支え金具６により止まる。このとき、作業者がコンソール用ノート型ＰＣ１０を開くことにより、ラック１内のサーバのメンテナンス作業をすることが可能となる。なお、ケーブル９をコンソール用ノート型ＰＣ１０に接続したまま一連の上記動作が可能となっている。
【００１６】
また、前扉３には、前扉３を開けるために必要な鍵を、例えば、つまみ部７やその近傍に設けることができる。これにより、コンソール用ノート型ＰＣ１０の操作が誰でも行うことができず、セキュリティが保たれる。さらに、ラックドア２を開くための鍵と異なる鍵を採用すれば、管理者ごとに鍵が異なることになり、より高いセキュリティを保つことが可能となる。
【００１７】
このように、本発明では、ラック本体８内にコンソールを置くエリアを作る必要がないため、より多くのサーバが搭載可能になり、サーバの設置コストを削減することができる。さらに、コンソール用ノート型ＰＣ１０操作時にはラックドア２を開ける必要がなくなるのでサーバのセキュリティが向上できる。さらに、ラックドア２を開かなくても良いので作業エリアが少なくてすむ。そして、コンソール用ノート型ＰＣ１０によるメンテナンス作業中はラックドア２が邪魔にならない。
【００１８】
一方、前扉３を閉じたときのコンソール用ノート型ＰＣ１０の固定方法について、以下の実施例１〜４にそれぞれ述べる。
【実施例１】
【００１９】
図６は、実施例１におけるコンソール用ノート型ＰＣ１０の固定を示す斜視図である。図に示されるように実施例１では、ベルト（実施例１）１１を、コンソール用ノート型ＰＣ１０の横方向に２本取り付けることにより、コンソール用ノート型ＰＣ１０と前扉３を固定している。
【００２０】
すなわち、図６の状態で、前扉３を閉めると、コンソール用ノート型ＰＣ１０は、スペース１８の中に収納される。一方、コンソール用ノート型ＰＣ１０を操作するときは、図６の状態からベルト（実施例１）１１を取り外し、コンソール用ノート型ＰＣ１０を開いて操作する。また、前扉３を閉じたときに、コンソール用ノート型ＰＣ１０が下に落ちないように、図６のコンソール用ノート型ＰＣ１０のスペース１８側面に背面固定金具２０を設けておく。
【００２１】
スペース１８の奥にある背板１７には、開口部１９が設けられており、必要に応じてコンソール用ノート型ＰＣ１０のケーブル９を通すことができる。当該開口部１９の構成は実施例２〜４でも同様である。
【実施例２】
【００２２】
図７は、実施例２におけるコンソール用ノート型ＰＣ１０の固定を示す斜視図である。実施例２では、実施例１とベルトの掛ける方向が違うものである。ベルト（実施例２）１２をコンソール用ノート型ＰＣ１０に対して縦方向に２本かけて、コンソール用ノート型ＰＣ１０と前扉３を固定している。これ以外は実施例１と同じである。
【実施例３】
【００２３】
図８は、実施例３におけるコンソール用ノート型ＰＣ１０の固定を示す斜視図である。コンソール用ノート型ＰＣ１０を、前扉３に設けられたＬ字型の２つの前側固定部品１４と、２つの後側固定部品１５の計４つの固定部品によって四隅を固定している。これらの固定部品１４、１５は、コンソール用ノート型ＰＣ１０の下側をしっかり固定する構成であり、固定した状態で、コンソール用ノート型ＰＣ１０を開けることは可能となっている。一方、スペース１８の奥側に設けられた背板１７には、振動防止部品１３が設けられている。
【００２４】
２つの後側固定部品１５は、前後方向（図８の矢印の方向）に位置調整が可能となっている。これにより、大きさの異なるコンソール用ノート型ＰＣ１０に対しても固定が可能となる。
【００２５】
図８の状態において、前扉３を閉めると、コンソール用ノート型ＰＣ１０は、スペース１８の中に収納される。このとき、振動防止部品１３は、コンソール用ノート型ＰＣ１０に当接し、振動からコンソール用ノート型ＰＣ１０を守るとともにコンソール用ノート型ＰＣ１０の落下を防ぐことができる。一方、コンソール用ノート型ＰＣ１０を操作するときは、図８の状態からそのままコンソール用ノート型ＰＣ１０を開き操作することができる。
【実施例４】
【００２６】
図９は、実施例４におけるコンソール用ノート型ＰＣの固定を示す斜視図である。図９の状態において、前扉３のスペース１８側（支点５側）には、手前側（前扉３の先端側）に開口しているポケット１６が設けられている。ポケット１６の大きさは、コンソール用ノート型ＰＣ１０を閉じた状態で入る大きさであり、ポケット１６の深さは、後述する収納時においてコンソール用ノート型ＰＣ１０が落ちない深さである。また、ポケット１６の奥には、必要なケーブル９を通せる孔を設けておく。一方、スペース１８の奥側に設けられた背板１７には、振動防止部品１３が設けられている。
【００２７】
図９の状態において、前扉３を閉めると、コンソール用ノート型ＰＣ１０は、スペース１８の中に収納される。このとき、振動防止部品１３は、コンソール用ノート型ＰＣ１０に当接し、振動からコンソール用ノート型ＰＣ１０を守ることができる。一方、コンソール用ノート型ＰＣ１０を操作するときは、図９の状態からコンソール用ノート型ＰＣ１０を手前に引いて、ポケット１６から取り出し、コンソール用ノート型ＰＣ１０を開き操作することができる。
【図面の簡単な説明】
【００２８】
【図１】本発明のラックドアにおいて前扉が開いた状態の一実施形態を示す斜視図である。
【図２】本発明のラックドアにおいて前扉が閉じた状態の一実施形態を示す斜視図である。
【図３】本発明のラックドアにおいて前扉が閉じた状態の一実施形態を示す要部拡大側面図である。
【図４】本発明のラックドアにおいて前扉が閉じた状態の一実施形態を示す要部拡大正面図である。
【図５】本発明のラックドアにおいて前扉が開いた状態の一実施形態を示す要部拡大側面図である。
【図６】実施例１におけるコンソール用ノート型ＰＣの固定を示す斜視図である。
【図７】実施例２におけるコンソール用ノート型ＰＣの固定を示す斜視図である。
【図８】実施例３におけるコンソール用ノート型ＰＣの固定を示す斜視図である。
【図９】実施例４におけるコンソール用ノート型ＰＣの固定を示す斜視図である。
【図１０】従来のラック本体とラックドアの構成を示す概略図である。
【符号の説明】
【００２９】
１    ラック
２    ラックドア
３    前扉
４    収納部
５    支点
６    支え金具
７    つまみ部
８    ラック本体
９    ケーブル
１０  コンソール用ノート型ＰＣ
１１  ベルト（実施例１）
１２  ベルト（実施例２）
１３  振動防止部品
１４  前側固定部品
１５  後側固定部品
１６  ポケット
１７  背板
１８  スペース
１９  開口部
２０  取っ手
【図１】
2009169816.tif 000003
【図２】
2009169816.tif 000004
【図３】
2009169816.tif 000005
【図４】
2009169816.tif 000006
【図５】
2009169816.tif 000007
【図６】
2009169816.tif 000008
【図７】
2009169816.tif 000009
【図８】
2009169816.tif 000010
【図９】
2009169816.tif 000011
【図１０】
2009169816.tif 000012